(57)【要約】【課題】ユニットを装着する際の負荷を抑制できるユニット装着構造および印刷装置を提供する。【解決手段】印刷装置は、装着部２０と押圧部３０とを備える。装着部２０には、テープカセットが着脱可能である。押圧部３０は、押圧板３２と付勢部材とを備える。押圧板３２は、前後方向に移動可能である。付勢部材は、押圧板３２を後方に付勢する。テープカセットは、押圧板３２への接触が開始する時、接触部３６に接触する。接触部３６は、押圧板３２の下側の特定端部３２Ｂのうち、付勢部材による押圧板３２への荷重重心の位置に対して左右方向にずれた部位である。テープカセットは、接触部３６に接触した後、押圧板３２の後側を向く押圧面３２Ａに対して接触しながら動いて装着部２０に装着される。テープカセットと接触部３６との左右方向における接触範囲は、装着部２０に装着されたテープカセットと押圧板３２との左右方向における接触範囲よりも小さい。【選択図】図２
2019025809.tif 000002
【特許請求の範囲】
【請求項１】
底壁と前記底壁と交差する側壁とを有する装着部と、
前記装着部に対して前記底壁と交差する第一方向に着脱可能なユニットと、
前記第一方向に延びる部材であって、前記ユニットが前記装着部に装着される場合に前記ユニットに係合することで、前記ユニットの前記装着部への装着を案内する案内部材と、
前記側壁に設けられ、前記装着部に装着された前記ユニットを押圧する押圧部と
を備え、
前記押圧部は、
前記側壁から突出する第一位置と前記第一位置よりも前記側壁からの突出量が小さい第二位置との間を移動可能な、前記側壁に直交する方向から見て矩形状の部材であって、前記ユニットが前記装着部に装着される場合に前記ユニットに接触する押圧板と、
前記押圧板を前記第二位置から前記第一位置に向けて付勢する付勢部材とを備え、
前記押圧板のうち前記第二位置から前記第一位置に向かう第二方向を向く押圧面には、複数の第一導電性端子が、前記第一方向および前記第二方向と直交する第三方向に並んで設けられ、
前記ユニットは、
前記押圧板への接触が開始する時、前記押圧板の前記底壁とは反対側の特定端部うち、前記付勢部材による前記押圧板への荷重重心の位置に対して前記第三方向にずれた接触部に接触し、
前記接触部に接触した後、前記押圧面に対して接触しながら動いて前記装着部に装着され、
前記ユニットと前記接触部との前記第三方向における接触範囲は、前記装着部に装着された前記ユニットと前記押圧板との前記第三方向における接触範囲よりも小さいことを特徴とするユニット装着構造。
【請求項２】
前記接触部は、前記複数の第一導電性端子に対して前記第三方向にずれた位置にあることを特徴とする請求項１に記載のユニット装着構造。
【請求項３】
前記特定端部は、前記第二方向に対して前記第一方向のうち前記ユニットが前記装着部に装着される方向に傾斜する方向に延びることを特徴とする請求項１または２に記載のユニット装着構造。
【請求項４】
前記押圧板が前記第一位置にある場合において、前記押圧板のうち前記荷重重心の位置を通り、前記接触部と前記荷重重心の位置とを結ぶ線に直交する仮想平面に対して前記接触部とは反対側の規制部に、前記第二方向とは反対側から接触する接触部材を備えたことを特徴とする請求項１から３のいずれかに記載のユニット装着構造。
【請求項５】
前記案内部材への前記ユニットの係合が開始する時の前記底壁と前記ユニットとの間の前記第一方向の距離は、前記接触部に前記ユニットが接触する時の前記底壁と前記ユニットとの間の前記第一方向の距離よりも大きいことを特徴とする請求項１から４のいずれかに記載のユニット装着構造。
【請求項６】
前記装着部に装着された前記ユニットに係合して、前記ユニットの前記第一方向への移動を規制する係合部を備え、
前記押圧板のうち前記荷重重心の位置への前記ユニットの接触が開始する時の前記底壁と前記ユニットとの間の前記第一方向の距離は、前記ユニットへの前記係合部の係合が開始する時の前記底壁と前記ユニットとの間の前記第一方向の距離よりも大きいことを特徴とする請求項１から５のいずれかに記載のユニット装着構造。
【請求項７】
前記ユニットには、外部に露出する第一面に複数の第二導電性端子が配置され、前記第一面とは反対側の第二面に前記複数の第二導電性端子と電気的に接続された記憶部が配置された基板が設けられ、
前記複数の第二導電性端子は、前記基板と平行な第四方向に並び、
前記ユニットが前記装着部に装着された状態で、前記第三方向と前記第四方向とは、一致し、かつ、前記複数の第一導電性端子と前記複数の第二導電性端子とは、それぞれ、互いに対向して接触することを特徴とする請求項１から６のいずれかに記載のユニット装着構造。
【請求項８】
前記付勢部材は、１つであり、前記複数の第一導電性端子の中心に配置されることを特徴とする請求項１から７のいずれかに記載のユニット装着構造。
【請求項９】
前記ユニットは、箱状のカセットケースと、前記カセットケースの内部に収納されるテープとを有するテープカセットであることを特徴とする請求項１から８のいずれかに記載のユニット装着構造。
【請求項１０】
前記カセットケースは、第一ケースと前記第一ケースに組み付けられる第二ケースとを備え、
前記テープカセットが前記装着部に装着された状態で、前記第一ケースは、前記第二ケースに対して前記底壁とは反対側に配置され、かつ、前記第二ケースは、前記底壁と前記第一方向に対向し、
前記第二ケースの前記底壁と対向する対向面から前記底壁に向けて延び、前記押圧板への前記テープカセットの接触が開始する時に前記接触部に接触する接触面が設けられることを特徴とする請求項９に記載のユニット装着構造。
【請求項１１】
前記接触面の形状は、前記接触面が前記接触部に接触している状態で、前記接触面に対して前記接触部とは反対側に曲率中心を有する円弧状であることを特徴とする請求項１０に記載のユニット装着構造。
【請求項１２】
前記接触部は、前記特定端部から突出することを特徴とする請求項９に記載のユニット装着構造。
【請求項１３】
前記押圧板が前記第二位置にある場合において、前記押圧部と前記第一方向に重ならない位置に設けられ、前記底壁から突出する突出部を備えたことを特徴とする請求項１０または１１に記載のユニット装着構造。
【請求項１４】
前記押圧部は、前記押圧板を前記第一位置と前記第二位置との間で移動可能に支持する支持部を備え、
前記支持部は、前記底壁とは反対側に向けて開口することを特徴とする請求項１から１３のいずれかに記載のユニット装着構造。
【請求項１５】
前記付勢部材は、コイルばねであることを特徴とする請求項１から１４のいずれかに記載のユニット装着構造。
【請求項１６】
前記特定端部の前記第二方向に対する傾斜角度は、略４５°であることを特徴とする請求項３に記載のユニット装着構造。
【請求項１７】
前記荷重重心の位置と前記接触部との間の距離に対する前記荷重重心の位置と前記規制部との間の距離の比は、略７／９であることを特徴とする請求項４に記載のユニット装着構造。
【請求項１８】
請求項１から１７のいずれかに記載のユニット装着構造を備え、
前記ユニットは、印刷媒体を収納し、
さらに、前記印刷媒体に印刷を行う印刷部と、
前記印刷部によって印刷された前記印刷媒体を切断する切断機構とを備え、
前記押圧板は、前記底壁から離隔した位置に配置されることを特徴とする印刷装置。
【発明の詳細な説明】
【技術分野】
【０００１】
本発明は、ユニット装着構造および印刷装置に関する。
【背景技術】
【０００２】
従来、テープカセット等のユニットを用いて印刷を行う印刷装置が知られている。例えば、特許文献１に記載のテープ印刷装置は、カートリッジ装着部とセンサーユニットとを備える。カートリッジ装着部には、テープカートリッジが装着される。テープカートリッジには基板が設けられている。センサーユニットは、センサーホルダーとユニット付勢部とを備える。センサーホルダーには、誘い斜面が形成されている。ユニット付勢部は、カートリッジ装着部に装着されたテープカートリッジの基板を押圧する方向に、センサーホルダーを付勢する。カートリッジ装着部にテープカートリッジを装着する場合、テープカートリッジの端部が、センサーカバーの誘い斜面に当接する。テープカートリッジは、センサーホルダーに接触しながら動き、カートリッジ装着部に装着される。
【先行技術文献】
【特許文献】
【０００３】
【特許文献１】特開２０１６−１７５１９３号公報
【発明の概要】
【発明が解決しようとする課題】
【０００４】
上記のテープ印刷装置では、テープカートリッジをカートリッジ装着部に装着する場合、テープカートリッジの端部がセンサーカバーの誘い斜面全体に当接するので、テープカートリッジをカートリッジ装着部に装着する際の負荷が増加する問題があった。
【０００５】
本発明の目的は、ユニットを装着する際の負荷を抑制できるユニット装着構造および印刷装置を提供することである。
【課題を解決するための手段】
【０００６】
本発明の第一態様に係るユニット装着構造は、底壁と前記底壁と交差する側壁とを有する装着部と、前記装着部に対して前記底壁と交差する第一方向に着脱可能なユニットと、前記第一方向に延びる部材であって、前記ユニットが前記装着部に装着される場合に前記ユニットに係合することで、前記ユニットの前記装着部への装着を案内する案内部材と、前記側壁に設けられ、前記装着部に装着された前記ユニットを押圧する押圧部とを備え、前記押圧部は、前記側壁から突出する第一位置と前記第一位置よりも前記側壁からの突出量が小さい第二位置との間を移動可能な、前記側壁に直交する方向から見て矩形状の部材であって、前記ユニットが前記装着部に装着される場合に前記ユニットに接触する押圧板と、前記押圧板を前記第二位置から前記第一位置に向けて付勢する付勢部材とを備え、前記押圧板のうち前記第二位置から前記第一位置に向かう第二方向を向く押圧面には、複数の第一導電性端子が、前記第一方向および前記第二方向と直交する第三方向に並んで設けられ、前記ユニットは、前記押圧板への接触が開始する時、前記押圧板の前記底壁とは反対側の特定端部うち、前記付勢部材による前記押圧板への荷重重心の位置に対して前記第三方向にずれた接触部に接触し、前記接触部に接触した後、前記押圧面に対して接触しながら動いて前記装着部に装着され、前記ユニットと前記接触部との前記第三方向における接触範囲は、前記装着部に装着された前記ユニットと前記押圧板との前記第三方向における接触範囲よりも小さい。
【０００７】
本発明の第二態様に係る印刷装置は、第一態様に係るユニット装着構造を備え、前記ユニットは、印刷媒体を収納し、さらに、前記印刷媒体に印刷を行う印刷部と、前記印刷部によって印刷された前記印刷媒体を切断する切断機構とを備え、前記押圧板は、前記底壁から離隔した位置に配置される。
【０００８】
上記第一態様に係るユニット装着構造および第二態様に係る印刷装置によれば、ユニットは、押圧板への接触が開始する時、接触部に接触する。接触部が、押圧部の底壁とは反対側の特定端部のうち付勢部材による押圧板への荷重重心の位置に対して第三方向にずれた位置にあるので、押圧板のうち荷重重心の位置に対して第三方向にずれていない位置にユニットが接触する場合に比べて、接触部と荷重重心の位置との間の距離を大きく確保できる。よって、ユニット装着構造および印刷装置は、ユニットを装着する際の負荷を抑制できる。
【図面の簡単な説明】
【０００９】
【図１】印刷装置１を右前上側から見た斜視図である。
【図２】本体筐体１０を左後下側から見た斜視図である。
【図３】本体筐体１０の底面図である。
【図４】押圧板３２が第一位置にあるときの押圧部３０を上下方向に直交する平面で切って下側から見た断面図である。
【図５】押圧板３２が第二位置にあるときの押圧部３０を上下方向に直交する平面で切って下側から見た断面図である。
【図６】押圧部３０（支持部３１を除く）の左側面図である。
【図７】押圧部３０（支持部３１を除く）の正面図である。
【図８】テープカセット５を右前上側から見た斜視図である。
【図９】レセプタタイプのテープカセット５（上ケース５１および一部収容物を除く）を略上方から見た斜視図である。
【図１０】テープカセット５（基板８０を除く）の右側面図である。
【図１１】基板８０を第二面８０Ｂ側から見た図である。
【図１２】テープカセット５が装着部２０に装着される場合の流れを説明するための印刷装置１およびテープカセット５の断面図である。
【図１３】装着部２０にテープカセット５が装着された場合における本体筐体１０の底面図である。
【図１４】（変形例）接触部３６１を備えた押圧部３０（支持部３１を除く）の左側面図である。
【発明を実施するための形態】
【００１０】
本発明の一実施形態を、図面を参照して説明する。参照する図面は、本発明が採用しうる技術的特徴を説明するために用いられるものである。図面に記載されている装置の構成は、それのみに限定する趣旨ではなく、単なる説明例である。
【００１１】
図１から図３を参照し、印刷装置１の構成を説明する。以下の説明では、図１の左上側、右下側、左下側、右上側、上側、および下側を、それぞれ、印刷装置１の左側、右側、前側、後側、上側、および下側とする。印刷装置１は、各種テープカセット（例えば、レセプタタイプ、サーマルタイプ、ラミネートタイプ、チューブタイプ）を１台で使用可能である。以下、テープカセット５（図８参照）に収納される長尺状の各種印刷媒体（例えば、片面粘着テープ２、感熱紙テープ、両面粘着テープ、フィルムテープ、チューブテープ）を、総称して「テープ」という。印刷装置１は、文字、図形等のキャラクタをテープに印刷する印刷動作を実行できる。
【００１２】
図１に示すように、印刷装置１は、略直方体状である。印刷装置１は、本体筐体１０とカバー１９とを有する。本体筐体１０の上面の前部には、キーボード１１が設けられる。キーボード１１は、種々のキャラクタ入力等を行う。キーボード１１の後方には、機能キー群１２が設けられる。機能キー群１２は、電源ボタン、印刷開始ボタン等を含み、印刷装置１に各種指示を入力する。機能キー群１２の後方には、液晶ディスプレイ１３が設けられる。液晶ディスプレイ１３は、入力したキャラクタを表示する。カバー１９は、本体筐体１０の下側に開閉自在に取り付けられる。
【００１３】
図２および図３に示すように、本体筐体１０には、テープカセット５を装着するための構造が設けられる。具体的には、本体筐体１０には、装着部２０が設けられる。装着部２０は、本体筐体１０の下面から上方に凹み、底壁２０Ａと側壁２０Ｂとを備える。底壁２０Ａは、底面視で略矩形状であり、上下方向と直交する。側壁２０Ｂは、底壁２０Ａの周縁部から下方に延びる。装着部２０には、テープカセット５が上下方向に着脱可能である。
【００１４】
装着部２０には、ヘッドホルダ２１、プラテンホルダ２３、テープ駆動軸２６、リボン巻取軸２７、係合部２８Ａ、２８Ｂ、リブ２９（図３参照）、案内部材２０１、２０２、突出部２０３、押圧部３０等が配置される。ヘッドホルダ２１は、板状であり、底壁２０Ａのうち右側の部位から下方に延びる。ヘッドホルダ２１の右面には、サーマルヘッド２２（図３参照）が配置される。
【００１５】
プラテンホルダ２３は、装着部２０の右部に配置される。プラテンホルダ２３は、前端部を中心に略左右方向に回動可能である。プラテンホルダ２３は、プラテンローラ２４およびテープサブローラ２５を底面視でそれぞれ反時計回り方向に回転可能に支持する。プラテンローラ２４は、サーマルヘッド２２に右側から対向する位置に設けられる。テープサブローラ２５は、プラテンローラ２４の後側近傍に設けられる。テープ駆動軸２６は、テープサブローラ２５の左側に設けられ、底壁２０Ａから下方に延びる。リボン巻取軸２７は、底壁２０Ａの略中央から下方に延びる。
【００１６】
係合部２８Ａは、底壁２０Ａの前端部から下方に突出し、前後方向に弾性変形可能である。係合部２８Ｂは、底壁２０Ａの後端部から下方に突出し、前後方向に弾性変形可能である。リブ２９は、装着部２０の左端部のうち前後方向の中央よりも前側の位置に設けられ、底壁２０Ａから下方に延びる。リブ２９の左端部は側壁２０Ｂに接続する。
【００１７】
案内部材２０１は、リボン巻取軸２７の左後側に設けられ、底壁２０Ａから下方に延びる。案内部材２０２は、装着部２０の左前角部に設けられ、底壁２０Ａから下方に延びる。案内部材２０１、２０２の底壁２０Ａからの高さは、略等しい。案内部材２０１、２０２は、テーパー状であり、上端部（基端部）から下端部（先端部）に向かうに従って径が小さくなる。案内部材２０１、２０２は、それぞれ、テープカセット５が装着部２０に装着される場合にテープカセット５に係合することで、テープカセット５の装着部２０への装着を案内する。突出部２０３は、装着部２０の右前角部に設けられ、底壁２０Ａから下方に突出する。突出部２０３の底壁２０Ａからの高さは、案内部材２０１、２０２の底壁２０Ａからの高さよりも低い。突出部２０３は、テープカセット５が装着部２０に装着された状態で、テープカセット５を上側（すなわち、底壁２０Ａ側）から支持する。押圧部３０は、側壁２０Ｂのうち前右角部に配置される。押圧部３０の詳細は後述する。
【００１８】
テープ駆動軸２６の右後近傍には、切断機構１５が設けられる。切断機構１５は、可動刃と固定刃とを備える（図示略）。本体筐体１０の右後角部には、操作部１４が設けられる。操作部１４は、内側へ押圧操作されることによって、切断機構１５の可動刃を作動させて、印刷済みのテープを切断する。切断機構１５の後側には、テープ排出口１６が設けられる。テープ排出口１６は、本体筐体１０を前後方向に貫通する開口である。テープ排出口１６は、切断機構１５によって切断された印刷済みのテープを本体筐体１０の外部に排出する。
【００１９】
印刷装置１は、本体筐体１０の内部に制御部（図示略）を備える。制御部は、ＣＰＵ、ＲＯＭ、ＲＡＭ等を備え、印刷装置１による印刷動作を制御する。
【００２０】
図２から図７を参照し、押圧部３０を説明する。図２および図３に示すように、押圧部３０は、切断機構１５と前後方向に並ぶ。押圧部３０は、支持部３１と押圧板３２と付勢部材３３（図４参照）とを備え、装着部２０に装着されたテープカセット５を後方に押圧する。支持部３１は、側壁２０Ｂに固定される。支持部３１は、略直方体状の箱状であり、開口部３１１、３１２、および接触部材３１Ａ、３１Ｂ（図４参照）を備える。開口部３１１は、支持部３１の後面に設けられる。開口部３１２は、支持部３１の下面の後部に設けられる。
【００２１】
図４および図５に示すように、接触部材３１Ａは、開口部３１１の左端部から右方に突出する。接触部材３１Ｂは、開口部３１１の右端部から左方に突出する。
【００２２】
押圧板３２は、支持部３１の内部において、底壁２０Ａから下方に離隔した位置に配置される（図２参照）。押圧板３２は、支持部３１によって第一位置（図４参照）と第二位置（図５参照）との間で前後方向に移動可能に支持される。第一位置にある押圧板３２は、側壁２０Ｂの後側を向く面から後方に突出する（図４参照）。第二位置にある押圧板３２は、側壁２０Ｂの後側を向く面からの突出量が第一位置にあるときよりも小さい（図５参照）。押圧板３２が第二位置にある場合、押圧部３０と突出部２０３（図３参照）とは、互いに上下方向に重ならない。本実施形態では、押圧板３２が第一位置にある場合においても、押圧部３０と突出部２０３とは、互いに上下方向に重ならない。押圧板３２は、テープカセット５が装着部２０に装着される場合に、テープカセット５に接触する。
【００２３】
図４から図７に示すように、押圧板３２は、略直方体状の箱状であり、前方に開口する。押圧板３２は、第一板部３２１、第二板部３２２、第三板部３２３、および規制部３２４、３２５を備える。第一板部３２１は、背面視で矩形状であり、前後方向に直交して延びる。第二板部３２２は、底面視で矩形状であり、第一板部３２１の下端部から前方に延びる。第一板部３２１と第二板部３２２との接続部（以下、「特定端部３２Ｂ」という。）は、後方斜め上側に傾斜して延びる。特定端部３２Ｂの前後方向に対する傾斜角度θ（図６参照）は、４５°である。第二板部３２２は、開口部３１２から下方に露出する（図２参照）。第三板部３２３は、平面視で矩形状であり、第一板部３２１の上端部から前方に延びる。
【００２４】
以下、押圧板３２のうち後述の付勢部材３３の付勢力による荷重重心Ｆの位置を通り、特定端部３２Ｂの左端部（以下、「接触部３６」という。）と荷重重心Ｆの位置とを結ぶ仮想直線Ｋに直交する仮想平面Ｃ（図７参照）を定義する。接触部３６は、荷重重心Ｆの位置および後述の一対の本体側導電性端子３４に対して左側にずれた位置にある。
【００２５】
規制部３２４は、仮想平面Ｃに対して接触部３６と同じ側に設けられる。規制部３２４は、第一板部３２１の左端部の上下方向の中央部から前方に延びる。規制部３２４の前端部は、左方に突出する。規制部３２５は、仮想平面Ｃに対して接触部３６とは反対側に設けられる。規制部３２５は、第一板部３２１の右端部の上下方向の中央部から前方に延びる。規制部３２５の前端部は、右方に突出する。
【００２６】
第一板部３２１の後面（以下、「押圧面３２Ａ」という。）には、一対の本体側導電性端子３４が設けられる。一対の本体側導電性端子３４は、いずれも金属端子であり、それぞれ、印刷装置１の制御部とハーネス３９を介して電気的に接続する。一対の本体側導電性端子３４は、互いに間に所定の隙間を空けて左右方向に並ぶ。一対の本体側導電性端子３４は、下部が押圧面３２Ａから露出し、上部が前方に延びて押圧板３２の内部に進入し、さらに押圧板３２の内部において上方に延びる。
【００２７】
図２に示すように、一対の本体側導電性端子３４のうち押圧面３２Ａから露出する部位（以下、「一対の露出部３４Ａ」という。）は、上下方向に長い矩形状であり、互いに同一形状である。一対の露出部３４Ａのそれぞれの上端部は、上下方向において同じ位置にある。一対の露出部３４Ａのそれぞれの下端部は、上下方向において同じ位置にある。
【００２８】
図６および図７に示すように、ハーネス３９の一端は、押圧板３２の内部で一対の本体側導電性端子３４の上部と接続部３９Ａにおいて接続する。ハーネス３９の他端は、印刷装置１の制御部に接続する。ハーネス３９は、接続部３９Ａから上方、すなわち、押圧板３２の移動方向に直交して延びる。よって、ハーネス３９が接続部３９Ａから前後方向に延びる場合に比べて、ハーネス３９によって押圧板３２の前後方向への移動が妨げられることが抑制される。押圧板３２の移動に伴ってハーネス３９が撓んで断線することが抑制される。
【００２９】
付勢部材３３は、１つのコイルばねであり、一対の露出部３４Ａの左右方向および上下方向の中心に配置される。付勢部材３３の一端は、支持部３１（図４参照）に固定される。付勢部材３３の他端は、一対の露出部３４Ａの中心において、第一板部３２１の押圧面３２Ａとは反対側の面（すなわち、前面）に固定される。付勢部材３３は、押圧板３２を第二位置（図５参照）から第一位置（図４参照）に向かって後方に付勢する。付勢部材３３の中心には、付勢部材３３の弾性変形をガイドする軸は挿入されていない。付勢部材３３の中心を通り前後方向に延びる線は、一対の露出部３４Ａの中心を通る。すなわち、付勢部材３３の付勢力による荷重重心Ｆの位置は、一対の露出部３４Ａの左右方向および上下方向の中心の位置と一致する。一対の露出部３４Ａの左右方向および上下方向の中心の位置は、一対の露出部３４Ａのうち右側の露出部３４Ａの右上角部および右下角部、左側の露出部３４Ａの左上角部および左下角部の４点からなる四角形の対角線の交点と一致する。
【００３０】
正面視で荷重重心Ｆの位置と接触部３６との間の距離Ｚ１は、荷重重心Ｆの位置と規制部３２５の上端部との間の距離Ｚ２よりも大きい。本実施形態では、距離Ｚ１は９ｍｍである。距離Ｚ２は７ｍｍである。従って、距離Ｚ１に対する距離Ｚ２の比は、７／９である。
【００３１】
押圧板３２が第一位置にある場合、接触部材３１Ａ、３１Ｂが規制部３２４、３２５に後側から接触する。これにより、付勢部材３３の付勢力によって押圧板３２が第一位置よりも後方に移動することが規制される。
【００３２】
図８から図１０を参照し、テープカセット５を説明する。以下の説明では、図８の左上側、右下側、左下側、右上側、上側、および下側を、それぞれ、テープカセット５の左側、右側、前側、後側、上側、および下側とする。図８に示すように、テープカセット５は、カセットケース５０を備える。カセットケース５０は、略直方体状の箱状であり、上ケース５１と下ケース５２とを有する。上ケース５１および下ケース５２は、互いに上下方向に並び、下ケース５２の上側に上ケース５１が組み付けられる。上ケース５１は、上壁５３と周壁５９Ａとを有する。下ケース５２は、下壁５４（図９参照）と周壁５９Ｂとを有する。上壁５３および下壁５４は、それぞれ、前後左右と平行に延びる。下壁５４は、上壁５３の下側に並んで配置される。
【００３３】
周壁５９Ａは、上壁５３の周縁から下側に延びる。周壁５９Ｂは、下壁５４の周縁から上側に延びる。周壁５９Ａ、５９Ｂは、上ケース５１が下ケース５２に組み付けられた状態で、右壁５５、左壁５６（図９参照）、前壁５７、および後壁５８（図９参照）を形成する。右壁５５および左壁５６は、それぞれ、前後上下と平行に延びる。左壁５６は、右壁５５の左側に並んで配置される。前壁５７および後壁５８は、それぞれ、上下左右と平行に延びる。後壁５８は、前壁５７の後側に並んで配置される。
【００３４】
上壁５３、下壁５４、右壁５５、左壁５６、前壁５７、および後壁５８は、それぞれ、カセットケース５０の外側を向く外壁である。前壁５７と後壁５８との間の距離Ｌ１は、上壁５３と下壁５４との間の距離Ｌ２よりも大きい。右壁５５と左壁５６との間の距離Ｌ３は、距離Ｌ１よりも大きい。
【００３５】
図９に示すように、前壁５７には、ヘッド挿入部６１が設けられる。ヘッド挿入部６１は、前壁５７の左端部近傍から後方に凹み、右方に延びる。前壁５７のうち、ヘッド挿入部６１の前側を延びる部位を、「アーム部６２」という。アーム部６２の左端部には、第一排出口６３が形成される。第一排出口６３は、上下方向に延びる開口であり、カセットケース５０の内部から外部にテープおよびインクリボン４を排出する。
【００３６】
左壁５６の前端部には、第二排出口６４が設けられる。以下、右壁５５および左壁５６を、それぞれ、前後方向に三等分した場合の領域を、後方から前方に向かう順に、「第一領域Ｒ１」、「第二領域Ｒ２」、「第三領域Ｒ３」とする。第二排出口６４は、第三領域Ｒ３において、第一排出口６３よりもテープの搬送方向下流側に配置される。第二排出口６４は、上下方向に延びる開口であり、第二排出口６４から排出されたテープを外部へと排出し、テープ排出口１６へ案内する。
【００３７】
図８および図９に示すように、右壁５５には、配置部７０およびリブ６５Ａ、６５Ｂ、６５Ｃが設けられる。配置部７０は、第三領域Ｒ３に配置される。配置部７０には、基板８０が配置される。配置部７０および基板８０の詳細は後述する。
【００３８】
リブ６５Ａ、６５Ｂ、６５Ｃは、それぞれ、基板８０から後方にずれた位置に設けられ、カセットケース５０の外側（すなわち、右側）に向けて基板８０よりも右側まで右壁５５から突出する。リブ６５Ａは、配置部７０の後側近傍から右壁５５の前後方向の中央部よりも後側まで、右壁５５の上下方向の中央部を前後方向に延びる。リブ６５Ｂは、リブ６５Ａの前端部に接続し、右壁５５の上端部と右壁５５の下端部との間で上下方向に延びる。リブ６５Ｃは、リブ６５Ａの後端部に接続し、右壁５５の上端部と右壁５５の下端部との間で上下方向に延びる。
【００３９】
図９に示すように、左壁５６には、リブ６６Ａ、６６Ｂ、６６Ｃが設けられる。リブ６６Ａ、６６Ｂ、６６Ｃは、それぞれ、基板８０から後方にずれた位置に設けられ、カセットケース５０の外側（すなわち、左側）に向けて左壁５６から突出する。リブ６６Ａは、左壁５６の前後方向の中央部を挟んで前後方向に延びる。リブ６６Ｂは、リブ６６Ａの前端部に接続し、左壁５６の上端部と左壁５６の下端部との間で上下方向に延びる。リブ６６Ｃは、リブ６６Ａの後端部に接続し、左壁５６の上端部と左壁５６の下端部との間で上下方向に延びる。
【００４０】
図８に示すように、カセットケース５０は、共通部５０Ａ、５０Ｂ、５０Ｃを有する。共通部５０Ａ、５０Ｂ、５０Ｃは、それぞれ、上下方向において、カセットケース５０の上端部５０１とカセットケース５０の下端部５０２との間に配置される。共通部５０Ａ、５０Ｂ、５０Ｃの上下方向のそれぞれの長さは、テープ幅によらず一定である。共通部５０Ａは、カセットケース５０の右後角部であり、右壁５５の後端部と後壁５８の右端部とを含む。共通部５０Ｂは、カセットケース５０の右前角部であり、右壁５５の前端部と前壁５７の右端部とを含む。共通部５０Ｃは、カセットケース５０の左後角部であり、左壁５６の後端部と後壁５８の左端部とを含む。
【００４１】
下壁５４のうち共通部５０Ｂの近傍の部位は、上方に凹む。この部位には、カセットケース５０の外側を向く面（以下、「接触面５１２」という。）が形成される。接触面５１２の下端部は、共通部５０Ｂの下端部よりも下方に配置される。接触面５１２は、一端が右壁５５と接続し、他端が前壁５７と接続する。すなわち、接触面５１２は、右壁５５と前壁５７とを接続する。接触面５１２は、配置部７０の後端部の前側近傍から前方斜め左側に湾曲する。接触面５１２の形状は、接触面５１２に対してカセットケース５０の中心側（すなわち、基板８０および共通部５０Ｂとは反対側）に曲率中心を有する円弧状である。接触面５１２の後端部（すなわち、右壁５５との接続部）のみ、配置部７０および基板８０と上下方向に重なる。
【００４２】
図９に示すように、後壁５８には、凹部６８が設けられる。凹部６８は、共通部５０Ａの左側に隣接する。凹部６８は、後壁５８から前方に凹み、上下方向に延びる。
【００４３】
図８および図９に示すように、カセットケース５０は、案内孔４３とテープ駆動ローラ４６と支持部４９Ａ〜４９Ｄとを有する。案内孔４３は、カセットケース５０の右後角部を上下方向に貫通する。テープ駆動ローラ４６は、上壁５３と下壁５４との間で上下方向に延びる筒状体であり、カセットケース５０の左前角部に配置される。テープ駆動ローラ４６は、上壁５３および下壁５４によって回転可能に支持される。支持部４９Ａは、上壁５３と下壁５４との間で上下方向に延びる筒状体である。支持部４９Ｂ、４９Ｃは、上壁５３と下壁５４との間で上下方向に延びる軸体である。支持部４９Ｄは、上壁５３および下壁５４を、それぞれ、上下方向に貫通する。
【００４４】
図９に示すように、支持部４９Ａは、テープ駆動ローラ４６の後方斜め右側に配置され、第一テープスプール（図示略）を回転可能に支持する。第一テープスプールには、第一のテープが巻回される。支持部４９Ｂは、支持部４９Ａの右側に配置され、第二テープスプール４１を回転可能に支持する。第二テープスプール４１には、第二のテープが巻回される。支持部４９Ｃは、支持部４９Ｂの前方斜め右側に配置され、リボンスプール４２を回転可能に支持する。リボンスプール４２には、未使用のインクリボン４が巻回される。支持部４９Ｄは、支持部４９Ｂの前方斜め左側に配置され、リボン巻取スプール４４（図８参照）を回転可能に支持する。リボン巻取スプール４４には、使用済みのインクリボン４が巻き取られて巻回される。
【００４５】
テープカセット５は、カセットケース５０の内部に収納されるテープの種類、インクリボン４の有無等を適宜変更することによって、レセプタタイプ、サーマルタイプ、ラミネートタイプ、チューブタイプ等に実装可能である。図９は、レセプタタイプのテープカセット５を例示する。レセプタタイプのテープカセット５では、支持部４９Ｂは、第二のテープとして片面粘着テープ２が巻回された第二テープスプール４１（以下、「テープロール２Ａ」という。）を支持する。支持部４９Ｃは、未使用のインクリボン４が巻回されたリボンスプール４２（以下、「リボンロール４Ａ」という。）を回転可能に支持する。レセプタタイプのテープカセット５では第一のテープが使用されないので、支持部４９Ａは第一テープスプールを支持しない。
【００４６】
テープロール２Ａおよびリボンロール４Ａは、それぞれ、片面粘着テープ２およびインクリボン４の供給源である。テープロール２Ａおよびリボンロール４Ａは、それぞれ、片面粘着テープ２およびインクリボン４の幅方向がカセットケース５０の上下方向と一致する向きで、カセットケース５０の内部に収納される。
【００４７】
図８から図１１を参照し、配置部７０および基板８０を説明する。図９に示すように、配置部７０は、右壁５５から左方に凹む。配置部７０は、右壁５５のうち前壁５７と隣接する位置、すなわち、共通部５０Ｂに配置される。配置部７０の前端部近傍は、第二排出口６４と左右方向に重なる。
【００４８】
図１０に示すように、配置部７０は、右壁５５の上端部の下側近傍と右壁５５の下端部の上側近傍との間で上下方向に延びる。すなわち、配置部７０は、上壁５３および下壁５４までは延びていない。
【００４９】
図９に示すように、配置部７０は、第一壁７１と逃がし凹部７２と第二壁７３とを有する。第一壁７１、逃がし凹部７２、および第二壁７３は、後方から前方に向かってこの順で並び、配置部７０の底壁を形成する。第一壁７１および第二壁７３は、右壁５５よりも左側に配置され、右壁５５と平行に延びる。逃がし凹部７２は、第三領域Ｒ３に配置され、第一壁７１および第二壁７３から左方に凹む。
【００５０】
図１０に示すように、第一壁７１および第二壁７３をそれぞれ上下方向に二等分した場合において、第一壁７１のうち上側の領域を「第一配置領域Ｄ１」といい、第二壁７３のうち下側の領域を「第二配置領域Ｄ２」といい、第一壁７１のうち下側の領域を「第三配置領域Ｄ３」といい、第二壁７３のうち上側の領域を「第四配置領域Ｄ４」という。
【００５１】
第一配置領域Ｄ１、第二配置領域Ｄ２、第三配置領域Ｄ３、および第四配置領域Ｄ４の表面形状は、いずれも平面である。平面とは、完全に平らな面のみをいうものではなく、曲面を形成せず、かつ、凸部が設けられていない面をいう。すなわち、平面は、凹部が設けられている面を含む。
【００５２】
以下、側面視で第一壁７１、逃がし凹部７２、および第二壁７３からなる領域（すなわち、配置部７０を左右方向に投影した場合に形成される領域）の中心を、「中心Ｐ」という。中心Ｐは、側面視で第一壁７１の後下角部、第一壁７１の後上角部、第二壁７３の前下角部、および第二壁７３の前上角部の４点からなる長方形の対角線の交点と一致する。第一配置領域Ｄ１の表面形状と第二配置領域Ｄ２の表面形状とは、互いに中心Ｐに対して点対称である。第三配置領域Ｄ３と第四配置領域Ｄ４の表面形状とは、互いに中心Ｐに対して点対称である。
【００５３】
図８に示すように、基板８０は、一方に長い長方形状であり、第一面８０Ａと第二面８０Ｂ（図１１参照）とを有する。第二面８０Ｂは、第一面８０Ａとは反対側を向く。第一面８０Ａには、一対のカセット側導電性端子８１が設けられる。一対のカセット側導電性端子８１は、いずれも金属端子であり、互いに間に所定の隙間を空けて基板８０の長手方向（以下、「Ｙ１方向」という。図１１参照）に並ぶ。一対のカセット側導電性端子８１は、基板８０の短手方向（以下、「Ｙ２方向」という。図１１参照）に長い矩形状であり、互いに同一形状である。一対のカセット側導電性端子８１のそれぞれのＹ２方向の一方側（例えば、図１１の上側）の端部は、Ｙ２方向において同じ位置にある。一対のカセット側導電性端子８１のそれぞれのＹ２方向の他方側（例えば、図１１の下側）の端部は、Ｙ２方向において同じ位置にある。
【００５４】
一対のカセット側導電性端子８１の長手方向（すなわち、Ｙ２方向）の長さは、一対の本体側導電性端子３４（図２参照）の長手方向（すなわち、図２の上下方向）の長さよりも小さい。一対のカセット側導電性端子８１の短手方向（すなわち、Ｙ１方向）の長さは、一対の本体側導電性端子３４の短手方向（すなわち、図２の左右方向）の長さよりも大きい。一対のカセット側導電性端子８１の互いの間の隙間の距離は、一対の本体側導電性端子３４の互いの間の隙間の距離よりも小さい。
【００５５】
図１１に示すように、第二面８０Ｂには、ＩＣチップ８２と一対のコンデンサ８３とモールド部８４とが設けられる。ＩＣチップ８２は、一対のコンデンサ８３を介在させて、一対のカセット側導電性端子８１のそれぞれと電気的に接続される。ＩＣチップ８２は、テープカセット５の種類（レセプタタイプ等）、テープの種類（色、テープ幅等）等の各種情報を記憶できる。一対のコンデンサ８３は、特定の周波数を通過させる。モールド部８４は、ＩＣチップ８２を第二面８０Ｂとは反対側から覆う樹脂部材であり、ＩＣチップ８２を保護する。
【００５６】
以下、図１１の右側を、Ｙ１方向の一方とし、図１１の左側を、Ｙ１方向の他方とする。Ｙ１方向に第二面８０Ｂを三等分した場合の領域を、Ｙ１方向の一方（図１１の右側）から他方（図１１の左側）に向かう順に、「第一基板領域Ｓ１」、「第二基板領域Ｓ２」、「第三基板領域Ｓ３」とする。ＩＣチップ８２、コンデンサ８３、およびモールド部８４は、いずれも第二基板領域Ｓ２に配置される。
【００５７】
図１０および図１１に示すように、第一壁７１の後端部７１Ａと第二壁７３の前端部７３Ａとの間の前後方向の距離Ｗ１（すなわち、配置部７０の前後方向の長さ）は、基板８０のＹ１方向の長さＸ１よりもわずかに大きい。第一壁７１および第二壁７３の上下方向の長さＷ２は、基板８０のＹ２方向の長さＸ２よりもわずかに大きい。逃がし凹部７２の前後方向の長さＷ３は、モールド部８４のＹ１方向の長さＸ３よりも大きい。
【００５８】
以下、基板８０のＹ１方向の一方（図１１の右側）の端部を、「第一基板端部８５Ａ」といい、基板８０のＹ１方向の他方（図１１の左側）の端部を、「第二基板端部８５Ｂ」という。第一壁７１の前後方向の長さＷ４および第二壁７３の前後方向の長さＷ５は、いずれも、モールド部８４（詳細には、モールド部８４のＹ１方向の一方の端部）と第一基板端部８５Ａとの間のＹ１方向の距離Ｘ４およびモールド部８４（詳細には、モールド部８４のＹ１方向の他方の端部）と第二基板端部８５Ｂとの間のＹ１方向の距離Ｘ５のいずれよりも小さい。
【００５９】
図９に示すように、基板８０は、Ｙ１方向（図１１参照）とテープカセット５の前後方向とを平行にし、かつ、第一面８０Ａが右方を向いた状態で、配置部７０に配置される。従って、第一面８０Ａは、テープカセット５の外部に露出する。基板８０は、Ｙ１方向の一方（図１１の右側）がテープカセット５の後方および前方のいずれを向いた状態でも配置部７０に配置できる。第一壁７１および第二壁７３のそれぞれと第二面８０Ｂとの間に接着層（図示略）が配置される。接着層は、接着剤、両面粘着テープ等である。基板８０は、接着層を介在させて、第一壁７１および第二壁７３にまたがって配置される。モールド部８４およびＩＣチップ８２は、逃がし凹部７２に配置される。
【００６０】
以下、基板８０が配置部７０に配置された状態を基準に説明する。第一面８０Ａは、右壁５５よりも右側に配置される。すなわち、基板８０は、右壁５５よりも右側に出っ張っている。第一面８０Ａと右壁５５との間の左右方向の距離（すなわち、基板８０の右壁５５からの出っ張り量）は、基板８０の下端部と接触面５１２の下端部との間の上下方向の距離よりも小さい。基板８０は、第三領域Ｒ３に配置される。基板８０の前後方向の中心は、第二排出口６４の前後方向の中心よりも後方にある。基板８０の一部は、第二排出口６４と左右方向に重なる。詳細には、一対のカセット側導電性端子８１のうち前側の導電性端子は、第二排出口６４と左右方向に重なる。
【００６１】
図１２および図１３を参照し、テープカセット５が装着部２０に装着される流れおよび印刷装置１による印刷動作を説明する。図１２（ａ）は、支持部４９Ａおよび案内孔４３のそれぞれへの案内部材２０１、２０２の挿入が開始する時の図１３のＡ４−Ａ４線矢視方向における印刷装置１およびテープカセット５の断面図である。図１２（ｂ）は、接触部３６に接触面５１２が接触する時の図１３のＡ２−Ａ２線矢視方向における印刷装置１およびテープカセット５の断面図である。図１２（ｃ）は、押圧板３２のうち荷重重心Ｆの位置への基板８０の接触が開始する時の図１３のＡ１−Ａ１線矢視方向における印刷装置１およびテープカセット５の断面図である。図１２（ｄ）は、リブ６５Ａ、６６Ａのそれぞれへの係合部２８Ａ、２８Ｂの係合が開始する時の図１３のＡ３−Ａ３線矢視方向における印刷装置１およびテープカセット５の断面図である。ユーザは、基板８０が押圧部３０と対向するように、テープカセット５を装着部２０に装着する。
【００６２】
図１２に示すように、支持部４９Ａおよび案内孔４３のそれぞれへの案内部材２０１、２０２の挿入が開始する時の底壁２０Ａとテープカセット５の上下方向の中心との間の上下方向の距離Ｈ１は、接触部３６に接触面５１２が接触する時の底壁２０Ａとテープカセット５の上下方向の中心との間の上下方向の距離Ｈ２よりも大きい。距離Ｈ２は、押圧板３２のうち荷重重心Ｆの位置への基板８０の接触が開始する時の底壁２０Ａとテープカセット５の上下方向の中心との間の上下方向の距離Ｈ３よりも大きい。距離Ｈ３は、リブ６５Ａ、６６Ａのそれぞれへの係合部２８Ａ、２８Ｂの係合が開始する時の底壁２０Ａとテープカセット５の上下方向の中心との間の上下方向の距離Ｈ４よりも大きい。
【００６３】
従って、テープカセット５が装着部２０に装着される過程では、まず、支持部４９Ａおよび案内孔４３のそれぞれへの案内部材２０１、２０２の挿入が開始される（図１２（ａ）参照）。これにより、案内部材２０１、２０２がテープカセット５に係合することで、装着部２０に対するテープカセット５の前後左右位置が決定され、テープカセット５の装着部２０への装着の案内が開始される。その後、押圧板３２へのテープカセット５の接触が開始される（図１２（ｂ）参照）。この時、接触部３６に接触面５１２が下方から点接触する。傾斜角度θが４５°であり、かつ、第一面８０Ａと右壁５５との間の左右方向の距離が、基板８０の下端部と接触面５１２の下端部との間の上下方向の距離よりも小さいので、接触面５１２は確実に接触部３６に接触できる。この状態で、接触面５１２の曲率中心は、接触面５１２に対して接触部３６とは反対側にある。
【００６４】
特定端部３２Ｂが、後方斜め上側に傾斜しているので、押圧板３２は、接触部３６において、接触面５１２によって前方に押圧される。規制部３２４は、接触部材３１Ａから前方に離隔する。このとき、規制部３２５は、仮想平面Ｃに対して接触部３６とは反対側にあるので、接触部材３１Ｂと接触したままである。このため、規制部３２５が支点、接触部３６が力点、荷重重心Ｆの位置が作用点となり、てこの原理が作用する。押圧板３２は、付勢部材３３の付勢力に抗って第一位置（図４参照）から第二位置（図５参照）に向かって前方に移動する。
【００６５】
接触部３６に接触面５１２が点接触した後、テープカセット５は、基板８０が押圧面３２Ａに対して接触しながら、装着部２０に向かって動く。押圧板３２のうち荷重重心Ｆの位置への基板８０の接触が開始される（図１２（ｃ）参照）。その後、リブ６５Ａ、６６Ａのそれぞれへの係合部２８Ａ、２８Ｂの係合が開始される（図１２（ｄ）参照）。
【００６６】
図１３に示すように、ヘッド挿入部６１にサーマルヘッド２２が挿入される。テープ駆動ローラ４６にテープ駆動軸２６が挿入される。リボン巻取スプール４４にリボン巻取軸２７が挿入される。凹部６８にリブ２９が挿入される。凹部６８がないテープカセットは、リブ２９と干渉するので、装着部２０に装着できない。よって、凹部６８およびリブ２９により、テープカセット５とは異なるテープカセットが装着部２０に装着されることが抑制される。リブ６５Ａ、６６Ａのそれぞれへの係合部２８Ａ、２８Ｂの係合が完了する。係合部２８Ａ、２８Ｂは、それぞれ、リブ６５Ａ、６６Ａに係合して、装着部２０に対するテープカセット５の上下方向の移動を規制する。これにより、テープカセット５の装着部２０への装着は完了する。
【００６７】
テープカセット５が装着部２０に装着された状態では、上ケース５１は、下ケース５２に対して底壁２０Ａとは反対側に配置される。下壁５４は、底壁２０Ａと上下方向に対向する。突出部２０３は、共通部５０Ｂを底壁２０Ａ側から支持する。これにより、底壁２０Ａからのテープカセット５の上下方向の中心までの距離がテープ幅によらず一定となる。印刷装置１の左右方向とテープカセット５の前後方向と基板８０のＹ１方向は一致する。
【００６８】
一対のカセット側導電性端子８１と一対の本体側導電性端子３４とがそれぞれ互いに面接触して電気的に接続する。接触面５１２は接触部３６に対して点接触し、基板８０は押圧面３２Ａに対して面接触する。すなわち、テープカセット５と接触部３６との左右方向における接触範囲（すなわち、テープカセット５が初めて押圧板３２に接触する時の左右方向における接触範囲）は、点であり、装着部２０に装着されたテープカセット５と押圧板３２との左右方向における接触範囲は、押圧面３２Ａの左端部と右端部との間で延びる線である。よって、テープカセット５と接触部３６との左右方向における接触範囲は、装着部２０に装着されたテープカセット５と押圧板３２との左右方向における接触範囲よりも小さい。
【００６９】
一対のカセット側導電性端子８１と一対の本体側導電性端子３４とがそれぞれ互いに前後方向に対向して接触して電気的に接続された状態では、印刷装置１は、テープカセット５との間で通信可能な状態となる。詳細には、印刷装置１のＣＰＵは、一対の本体側導電性端子３４と一対のカセット側導電性端子８１とのそれぞれの接点間の電圧差を利用して公知の変調方式によってＩＣチップ８２からの信号を受信する。
【００７０】
カバー１９（図１参照）が本体筐体１０に対して閉じられると、プラテンホルダ２３が左側に回動する。プラテンローラ２４は、互いに重ね合った片面粘着テープ２およびインクリボン４をサーマルヘッド２２との間で挟む。テープサブローラ２５は、片面粘着テープ２をテープ駆動ローラ４６との間で挟む。
【００７１】
印刷装置１による印刷動作が開始されると、テープ駆動軸２６およびリボン巻取軸２７は、モータ（図示略）によって同期して回転駆動される。テープ駆動軸２６の回転に伴って、テープ駆動ローラ４６が回転し、テープサブローラ２５が従動回転する。テープ駆動ローラ４６およびテープサブローラ２５が回転すると、片面粘着テープ２がテープロール２Ａから引き出されて搬送される。リボン巻取軸２７の回転に伴って、リボン巻取スプール４４が回転する。リボン巻取スプール４４が回転すると、インクリボン４がリボンロール４Ａから引き出される。プラテンローラ２４とサーマルヘッド２２との間で片面粘着テープ２と重ね合っているインクリボン４が使用され、サーマルヘッド２２による片面粘着テープ２への印刷が行われる。
【００７２】
以上説明したように、テープカセット５は、押圧板３２への接触が開始する時、接触面５１２が接触部３６に点接触する。接触部３６が、特定端部３２Ｂのうち荷重重心Ｆの位置に対して左側にずれた位置にあるので、押圧板３２のうち荷重重心Ｆの位置に対して左右方向にずれていない位置にテープカセット５が接触する場合に比べて、距離Ｚ１を大きく確保できる。よって、印刷装置１は、テープカセット５を装着する際の負荷を抑制できる。テープカセット５が装着部２０に装着された状態では、基板８０は押圧面３２Ａに対して面接触するので、押圧部３０は、押圧面３２Ａ全体で基板８０を安定して押圧できる。
【００７３】
接触部３６が、一対の露出部３４Ａに対して左側にずれた位置にあるので、印刷装置１は、距離Ｚ１をさらに大きく確保できる。よって、印刷装置１は、テープカセット５を装着する際の負荷をさらに抑制できる。
【００７４】
テープカセット５は、接触部３６に接触した後、特定端部３２Ｂに対して接触しながら上方に動く。この場合、特定端部３２Ｂが後方斜め上側に傾斜しているので、押圧板３２には、前方に力が作用する。よって、印刷装置１は、テープカセット５を装着する際の負荷をさらに抑制できる。
【００７５】
仮想平面Ｃに対して接触部３６とは反対側に規制部３２５があるので、テープカセット５が接触部３６に接触すると、規制部３２５には後方への力が作用する。接触部材３１Ｂは、規制部３２５に後側から接触することで、規制部３２５の後方への移動を規制する。この場合、規制部３２５が支点、接触部３６が力点、荷重重心Ｆの位置が作用点となり、てこの原理が作用する。よって、印刷装置１は、テープカセット５を装着する際の負担をさらに抑制できる。
【００７６】
テープカセット５が接触部３６に接触する前に支持部４９Ａおよび案内孔４３のそれぞれへの案内部材２０１、２０２の挿入が開始される。すなわち、装着部２０に対するテープカセット５の前後左右位置が決定された後に、テープカセット５が接触部３６に接触する。よって、印刷装置１は、押圧板３２へのテープカセット５の接触が開始する時、テープカセット５を確実に接触部３６に接触させることができ、距離Ｚ１を確実に確保できる。
【００７７】
押圧板３２のうち荷重重心Ｆの位置へのテープカセット５の接触が開始する時には、テープカセット５の装着に第一負荷がかかる。リブ６５Ａ、６６Ａのそれぞれへの係合部２８Ａ、２８Ｂの係合が開始する時には、テープカセット５の装着に第二負荷がかかる。リブ６５Ａ、６６Ａのそれぞれへの係合部２８Ａ、２８Ｂの係合が開始する前に、押圧板３２のうち荷重重心Ｆの位置へのテープカセット５の接触が開始されるので、印刷装置１は、テープカセット５の装着に第一負荷と第二負荷とが同時にかかる場合に比べて、テープカセット５を装着する際の負担を抑制できる。
【００７８】
テープカセット５が装着部２０に装着された状態で、一対の本体側導電性端子３４と一対のカセット側導電性端子８１とは、それぞれ、互いに対向して接触する。この状態で、押圧部３０が基板８０を押圧する。よって、印刷装置１は、一対の本体側導電性端子３４と一対のカセット側導電性端子８１とを、それぞれ、互いに確実に接触させることができる。
【００７９】
付勢部材３３は、１つであり、一対の露出部３４Ａの左右方向および上下方向の中心に配置されるので、付勢部材３３の付勢力は、一対の露出部３４Ａのそれぞれに均一に作用する。よって、印刷装置１は、一対の本体側導電性端子３４と一対のカセット側導電性端子８１とを、それぞれ、互いに確実に接触させることができる。
【００８０】
基板８０は、カセットケース５０に設けられる。カセットケース５０の内部には、テープが収容される。よって、印刷装置１は、例えばテープに関する情報等をＩＣチップ８２に記憶させ、ＩＣチップ８２を有効活用できる。
【００８１】
下壁５４のうち接触面５１２よりも外側の部位が上方に凹んでいる。このため、印刷装置１は、接触面５１２が接触部３６に接触する前に、テープカセット５のうち接触面５１２とは異なる部位が押圧板３２に接触することを抑制できる。よって、印刷装置１は、テープカセット５を確実に接触部３６に接触させることができ、距離Ｚ１を確実に確保できる。
【００８２】
接触面５１２の形状は、接触面５１２が接触部３６に接触している状態で、接触面５１２に対して接触部３６とは反対側に曲率中心を有する円弧状である。これにより、接触面５１２は、例えば接触面５１２が前後方向に直線状に延びている場合に比べて、荷重重心Ｆの位置から左右方向に離れた位置で接触部３６と一点で接触できる。このため、接触面５１２が押圧板３２の接触部３６とは異なる部位に接触することが抑制される。よって、印刷装置１は、テープカセット５をさらに確実に接触部３６に接触させることができ、距離Ｚ１を確実に確保できる。
【００８３】
テープカセット５は、装着部２０に装着されると、突出部２０３によって支持される。突出部２０３は、テープカセット５が装着部２０に装着された状態で、押圧部３０と上下方向に重なっていないので、確実にテープカセット５を支持できる。
【００８４】
支持部３１の下面の後部に開口部３１２が設けられており、第二板部３２２が開口部３１２から下方に露出している。これにより、仮に、不具合により、付勢部材３３の付勢力によっては押圧板３２が第二位置から移動不能になったとしても、ユーザは、開口部３１２から押圧板３２を第二位置から第一位置に引き出すことができる。よって、印刷装置１は、不具合が生じた場合でも、押圧板３２を第一位置に容易に復帰させることができる。
【００８５】
付勢部材３３はコイルばねであり、付勢部材３３の弾性変形をガイドする軸が付勢部材３３の中心に挿入されていない。このため、付勢部材３３は、前後方向だけでなく、上下方向および左右方向にも弾性変形できる。従って、テープカセット５が押圧板３２に対して接触しながら動いている場合、付勢部材３３の弾性変形に伴って規制部３２５が支点となりやすい。よって、印刷装置１は、てこの原理を有効活用して、テープカセット５を装着する際の負担をさらに抑制できる。
【００８６】
傾斜角度θが大きい場合、特定端部３２Ｂに対してテープカセット５が接触しながら動く際に押圧板３２に対して前方に作用する力が大きくなるので、テープカセット５を装着部２０に装着する際の負担が抑制される。しかし、傾斜角度θが大きい場合、特定端部３２Ｂの面積が大きくなり、押圧板３２の形状が大型化する。よって、傾斜角度θを４５°にすることで、印刷装置１は、押圧板３２の形状の大型化を抑制しつつ、テープカセット５を装着する際の負担を抑制できる。
【００８７】
距離Ｚ１に対する距離Ｚ２の比が、７／９であるので、支点（規制部３２５）から力点（接触部３６）までの距離（距離Ｚ１＋距離Ｚ２）に対する支点（規制部３２５）から作用点（荷重重心Ｆの位置）までの距離Ｚ２の比が、７／１６となり、１／２以下となる。よって、印刷装置１は、てこの原理により、接触面５１２が接触部３６に接触したときの上下方向への荷重を、付勢部材３３による左右方向の荷重の半分以下にできる。
【００８８】
例えば、切断機構１５がテープを切断した場合、テープの切断屑が発生することが考えられる。押圧板３２が底壁２０Ａから離隔した位置に配置されているので、テープの切断屑が底壁２０Ａに沿って移動しても、一対の本体側導電性端子３４に付着することが抑制される。よって、印刷装置１は、一対の本体側導電性端子３４と一対のカセット側導電性端子８１との間の接触不良を抑制できる。
【００８９】
本実施形態において、底壁２０Ａが、本発明の「底壁」に相当する。側壁２０Ｂが、本発明の「側壁」に相当する。装着部２０が、本発明の「装着部」に相当する。印刷装置１の上下方向が、本発明の「第一方向」に相当する。テープカセット５が、本発明の「ユニット」に相当する。案内部材２０１、２０２のそれぞれが、本発明の「案内部材」に相当する。押圧部３０が、本発明の「押圧部」に相当する。押圧板３２が、本発明の「押圧板」に相当する。付勢部材３３が、本発明の「付勢部材」に相当する。印刷装置１の後方が、本発明の「第二方向」に相当する。押圧面３２Ａが、本発明の「押圧面」に相当する。本体側導電性端子３４が、本発明の「第一導電性端子」に相当する。印刷装置１の左右方向が、本発明の「第三方向」に相当する。特定端部３２Ｂが、本発明の「特定端部」に相当する。接触部３６が、本発明の「接触部」に相当する。規制部３２５が、本発明の「規制部」に相当する。接触部材３１Ｂが、本発明の「接触部材」に相当する。係合部２８Ａ、２８Ｂのそれぞれが、本発明の「係合部」に相当する。カセット側導電性端子８１が、本発明の「第二導電性端子」に相当する。ＩＣチップ８２が、本発明の「記憶部」に相当する。基板８０が、本発明の「基板」に相当する。基板８０のＹ１方向が、本発明の「第四方向」に相当する。上ケース５１が、本発明の「第一ケース」に相当する。下ケース５２が、本発明の「第二ケース」に相当する。下壁５４が、本発明の「対向面」に相当する。
接触面５１２が、本発明の「接触面」に相当する。突出部２０３が、本発明の「突出部」に相当する。支持部３１が、本発明の「支持部」に相当する。サーマルヘッド２２が、本発明の「印刷部」に相当する。切断機構１５が、本発明の「切断機構」に相当する。
【００９０】
本発明は、上記実施形態から種々変更できる。例えば、図１４に示すように、印刷装置１は、接触部３６の代わりに接触部３６１を採用してもよい。接触部３６１は、荷重重心Ｆの位置および一対の本体側導電性端子３４に対して左側にずれた位置にあり、特定端部３２Ｂから下方に突出する。この場合、印刷装置１は、接触面５１２が接触部３６に接触する前に、テープカセット５が押圧板３２のうち接触部３６とは異なる部位に接触することを抑制できる。よって、印刷装置１は、テープカセット５を確実に接触部３６に接触させることができる。接触面５１２は、省略してもよい。接触面５１２の形状は、直線状でもよい。
【００９１】
上記実施形態のテープカセット５は、レセプタタイプであるが、サーマルタイプ、ラミネートタイプ、チューブタイプ等でもよい。サーマルタイプのテープカセット５では、リボンロール４Ａが省略され、支持部４９Ａが、第一のテープとして感熱紙テープが巻回された第一テープスプールを支持する（図示略）。ラミネートタイプのテープカセット５では、支持部４９Ａは、第一のテープとして両面粘着テープが巻回された第一テープスプールを支持する。支持部４９Ｂは、第二のテープとしてフィルムテープが巻回された第二テープスプール４１を支持する。支持部４９Ｃは、レセプタタイプと同様に、リボンロール４Ａを支持する。
【００９２】
一対の露出部３４Ａは、上下方向に長い矩形状であるが、左右方向に長い矩形状でもよいし、正方形状、円形状等の他の形状でもよい。上記実施形態では、一対の露出部３４Ａの長手方向の長さは、一対のカセット側導電性端子８１の長手方向の長さよりも大きい。一対の露出部３４Ａの短手方向の長さは、一対のカセット側導電性端子８１の短手方向の長さよりも小さい。一対の露出部３４Ａの互いの間の隙間の距離は、一対のカセット側導電性端子８１の互いの間の隙間の距離よりも大きい。これに対して、一対の露出部３４Ａの長手方向の長さは、一対のカセット側導電性端子８１の長手方向の長さ以下でもよい。一対の露出部３４Ａの短手方向の長さは、一対のカセット側導電性端子８１の短手方向の長さ以上でもよい。一対の露出部３４Ａの互いの間の隙間の距離は、一対のカセット側導電性端子８１の互いの間の隙間の距離以下でもよい。一対の本体側導電性端子３４および一対のカセット側導電性端子８１は、それぞれ、一対でなくてもよく、３つ以上であってもよい。
【００９３】
上記実施形態では、印刷装置１のＣＰＵは、変調方式によってＩＣチップ８２からの信号を受信する。これに対し、印刷装置１のＣＰＵは、他の方式でＩＣチップ８２からの信号を受信してもよい。印刷装置１のＣＰＵは、例えばＩＣチップ８２からの作動信号を受信してもよい。
【００９４】
上記実施形態では、第一面８０Ａは、右壁５５よりも右側に配置される。これに対して、第一面８０Ａは、左右方向において右壁５５と同じ位置または左側に配置されてもよい。この場合、テープカセット５の使用時等に、基板８０のうち右壁５５よりも右側に出っ張る部位が引っかかって、基板８０が配置部７０から外れることが抑制される。
【００９５】
上記実施形態では、付勢部材３３は、１つのコイルばねであるが、２つ以上でもよいし、他の種類のばね（皿ばね、板ばね等）でもよいし、ゴム、スポンジ等の弾性体でもよい。上記実施形態では、付勢部材３３の中心には、付勢部材３３の弾性変形をガイドする軸は挿入されていないが、挿入されてもよい。この場合、第一位置と第二位置との間の押圧板３２の移動が安定する。
【００９６】
支持部３１の下面には開口部３１２が設けられているが、支持部３１の下面は開口していなくてもよい。この場合、支持部３１の下面側から支持部３１の内部に異物が進入することが抑制される。装着部２０には、案内部材２０１、２０２のうちいずれか一方のみが設けられてもよい。装着部２０には、３つ以上の案内部材が設けられてもよい。
【００９７】
距離Ｚ１は９ｍｍより大きくてもよいし、小さくてもよい。距離Ｚ２は、７ｍｍよりも大きくてもよいし、小さくてもよい。距離Ｚ１に対する距離Ｚ２の比は、７／９より大きくてもよいし、小さくてもよい。距離Ｚ１に対する距離Ｚ２の比は、７／９から積極的に異ならせない範囲内であることが好ましい。傾斜角度θは、４５°よりも大きくてもよし、４５°よりも小さくてもよい。傾斜角度θは、４５°から積極的に異ならせない範囲内であることが好ましい。傾斜角度θが４５°以上の場合、第一面８０Ａと右壁５５との間の左右方向の距離は、基板８０の下端部と接触面５１２の下端部との間の上下方向の距離よりも小さいことが好ましい。この場合、接触面５１２は、確実に接触部３６に接触できる。
【符号の説明】
【００９８】
１    印刷装置
２    片面粘着テープ
５    テープカセット
１５    切断機構
２０    装着部
２０Ａ    底壁
２０Ｂ    側壁
２２    印刷部
２８Ａ、２８Ｂ    係合部
３０    押圧部
３１    支持部
３１Ｂ    接触部材
３２    押圧板
３２Ａ    押圧面
３２Ｂ    特定端部
３３    付勢部材
３４    カセット側導電性端子
３６    接触部
５０    カセットケース
５１    上ケース
５２    下ケース
５４    下壁
８０    基板
８１    本体側導電性端子
８２    ＩＣチップ
２０１、２０２    案内部材
２０３    突出部
３２５    規制部
５１２    接触面
【図１】
2019025809.tif 000003
【図２】
2019025809.tif 000004
【図３】
2019025809.tif 000005
【図４】
2019025809.tif 000006
【図５】
2019025809.tif 000007
【図６】
2019025809.tif 000008
【図７】
2019025809.tif 000009
【図８】
2019025809.tif 000010
【図９】
2019025809.tif 000011
【図１０】
2019025809.tif 000012
【図１１】
2019025809.tif 000013
【図１２】
2019025809.tif 000014
【図１３】
2019025809.tif 000015
【図１４】
2019025809.tif 000016